(57)【要約】【課題】意図しない匂いの提示を防止できる香料提示デバイスを提供する。【解決手段】利用者の頭部に装着可能な表示デバイスとともに用いられ、表示デバイスの装着者の鼻孔近傍の香料提示位置に配した香料提示モジュールと、香料を蓄積する香料容器を備え、少なくとも当該香料を提示しない間は、前記香料提示位置から離隔した位置に前記香料容器を配し、当該香料容器内の香料を提示するときに当該香料容器から当該香料を導出する香料保持体と、香料保持体にて導出された香料を、香料提示モジュールへ導く香料導体とを含む香料提示デバイスである。【選択図】図１
2016199441.tif 000002
【特許請求の範囲】
【請求項１】
利用者の頭部に装着可能な表示デバイスとともに用いられ、
前記表示デバイスの装着者の鼻孔近傍の香料提示位置に配した香料提示モジュールと、
香料を蓄積する香料容器を備え、少なくとも当該香料を提示しない間は、前記香料提示位置から離隔した位置に前記香料容器を配し、当該香料容器内の香料を提示するときに当該香料容器から当該香料を導出する香料保持体と、
前記香料保持体から導出された香料を、前記香料提示モジュールへ導く香料導体とを含む香料提示デバイス。
【請求項２】
請求項１記載の香料提示デバイスであって、
前記香料提示モジュールは、
送風方向を反転可能なファンと、
前記ファンの動作により生じる気流上に香料を提示する香料提示部と、
を有してなる香料提示デバイス。
【請求項３】
請求項２に記載の香料提示デバイスであって、
前記香料提示部は、
前記香料導体から供給される香料を担持する担持体と、
前記担持体を収納する担持体収納室と、
前記担持体を、前記担持体収納室から突出した位置と、前記担持体収納室内に収納した位置との間で移動する担持体移動部と、
を有する香料提示デバイス。
【請求項４】
請求項３に記載の香料提示デバイスであって、
前記香料提示部はさらに、
前記担持体が、前記担持体収納室内に収納した位置にあるときに、前記担持体収納室を遮断するシャッターを有する香料提示デバイス。
【請求項５】
請求項１から４のいずれか一項に記載の香料提示デバイスであって、さらに、
前記表示デバイスの装着者の鼻孔近傍に配され、香料を当該鼻孔近傍から除去する香料除去モジュールを備える香料提示デバイス。
【請求項６】
請求項５に記載の香料提示デバイスであって、
前記香料除去モジュールは、鼻孔近傍から鼻孔より遠ざかる向きに気流を生じさせるファンを備える香料提示デバイス。
【請求項７】
請求項５に記載の香料提示デバイスであって、
前記香料除去モジュールは、消臭用の香料を提示して、香料を除去する香料提示デバイス。
【発明の詳細な説明】
【技術分野】
【０００１】
本発明は、利用者に匂いを提示する香料提示デバイスに関する。
【背景技術】
【０００２】
従来、匂いを提示するデバイスとして、匂いを感じさせる香料をパルス射出する卓上型、または首にかけて装着する形式のデバイスが存在する（非特許文献１）。また近年、頭部に装着するディスプレイ（ヘッドマウントディスプレイ）が普及していることに伴い、こうしたヘッドマウントディスプレイに取り付ける、マスク型のデバイスも開発されている。
【先行技術文献】
【非特許文献】
【０００３】
【非特許文献１】inet：岡田謙一、外２名、“香り発生デバイスの開発と嗅覚モデルに基づいた香り呈示手法の研究開発”、[online]、 [2015年5月10日検索]、インターネット<URL: http://www.soumu.go.jp/main_sosiki/joho_tsusin/scope/event/h22yokousyu/session/uc1(pre).pdf>
【発明の概要】
【発明が解決しようとする課題】
【０００４】
上記従来の匂いを提示するデバイスでは一般に、匂いの元となる物質（香料）を貯蔵する容器を複数取り付けておき、この容器から香料を徐放している。ところがマスク型のデバイスなど利用者が匂いを感じる鼻孔近傍に装着するものであると、上記容器から漏洩した香料により意図しない匂いが提示されてしまうという問題点がある。【０００５】
また、従来のものでは、一定の時間、一定の強度の匂いを提示することについては考慮されているものの、例えばヘッドマウントディスプレイに表示した画像においてシーンの転換があった場合など、いままで提示していた匂いを除去して、別の匂いを提示するべき場合について考慮されていない。【０００６】
本発明は上記実情に鑑みて為されたもので、意図しない匂いの提示を防止し、また、提示する匂いの切り替えに対応できる香料提示デバイスを提供することを、その目的の一つとする。
【課題を解決するための手段】
【０００７】
上記従来例の問題点を解決する本発明は、利用者の頭部に装着可能な表示デバイスとともに用いられ、前記表示デバイスの装着者の鼻孔近傍の香料提示位置に配した香料提示モジュールと、香料を蓄積する香料容器を備え、少なくとも当該香料を提示しない間は、前記香料提示位置から離隔した位置に前記香料容器を配し、当該香料容器内の香料を提示するときに当該香料容器から当該香料を導出する香料保持体と、前記香料保持体から導出された香料を、前記香料提示モジュールへ導く香料導体とを含むこととしたものである。
【発明の効果】
【０００８】
本発明によると、意図しない匂いの提示を防止できる。さらに香料除去モジュールを備えた本発明では、提示する匂いの切り替えに対応できる。
【図面の簡単な説明】
【０００９】
【図１】本発明の実施の形態に係る香料提示デバイスの例を表す模式的な説明図である。
【図２】本発明の実施の形態に係る香料提示デバイスの提示体容器内部の構成例を表す概略説明図である。
【図３】本発明の実施の形態に係る香料提示デバイスによる香料提示動作の例を表すフローチャート図である。
【図４】本発明の実施の形態に係る香料提示デバイスによる香料除去動作の例を表すフローチャート図である。
【図５】本発明の実施の形態に係る香料提示デバイスにおける香料提示モジュールの別の例を表す概略説明図である。
【発明を実施するための形態】
【００１０】
本発明の実施の形態について図面を参照しながら説明する。本発明の実施の形態に係る香料提示デバイス１０は、図１に例示するように、利用者の頭部に装着可能な表示デバイス（ヘッドマウントディスプレイ、以下「ＨＭＤ」と呼ぶ）１１とともに用いられ、利用者の頭部に装着される。またこの香料提示デバイス１０は、複数の香料提示体１２と、制御ユニット１３とを含む。各香料提示体１２と制御ユニット１３とは、それぞれ個別に（制御ユニット１３を中心としたスター型に）接続されてもよいし、制御ユニット１３から共通バスを通じて各香料提示体１２に接続されてもよいし、デイジーチェイン型に香料提示体１２が接続されてもよい。バスまたはデイジーチェイン型に接続した場合に、制御ユニット１３から指示の対象となる香料提示体１２を指定する方法は、アドレス情報を用いる方法等、広く知られた方法を採用できるので、ここでの説明を省略する。
【００１１】
香料提示体１２は、図１に例示するように、四角柱の形状をなし、一列ないし、複数列に配される。また、この香料提示体１２は、六角柱状をなし、ハニカム状に配列されてもよい。本実施の形態において各香料提示体１２は、図２に例示するように、香料提示モジュール２１と、香料保持体２２と、香料導体２３と、提示体容器２４とを含んで構成される。ここで香料提示モジュール２１は、利用者の鼻孔近傍の香料提示位置に配される。また、香料導体２３は、香料保持体２２にて導出された香料を、香料提示モジュール２１へ導くものである。なお、図１では香料保持体２２を利用者の頭部後方に配する例を示している。ここで本実施の形態では香料は流体状であるものとし、香料導体２３は、例えば可撓性を有する管であり、香料を内部で流通できるようその管径等を定める。
【００１２】
提示体容器２４は、図２にその例を示すように、例えば中空の四角柱の形状をなし、その長手方向の少なくとも一方の面に開口ＯＰが形成されている。またこの提示体容器２４内には、香料提示モジュール２１を収容する四角柱状の収納室２４１が形成されている。なお、図２は提示体容器２４の内部を示すため、提示体容器２４の一面側を破断して示している。
【００１３】
また香料提示モジュール２１は、図２に示されるように、ファン３１と、香料提示部３２とを含む。ここでファン３１は、一方側が外気に連通しており、正転（外気を吸入して本実施の形態の香料提示デバイス１０を装着した利用者の鼻孔方向への気流を生じさせる回転方向）あるいは反転（本実施の形態の香料提示デバイス１０を装着した利用者の鼻孔方向から吸入して、外部へ放出する気流を生じさせる回転方向）可能なものである。またこのファン３１の外気側には、香料を吸着する消臭剤を含んだフィルタを設けてもよい。
【００１４】
香料提示部３２は、担持体４１と、滴下部４２と、担持体移動部４３とを含んで構成される。ここで担持体４１は、香料導体２３から供給される香料を担持する。滴下部４２は、外部からの制御を受けて、オンとなったときに担持体４１上に香料を滴下する。また担持体移動部４３は、外部からの制御を受けて担持体４１を移動する。そしてこの香料提示部３２は、ファン３１の動作により生じる気流上に香料を提示する。
【００１５】
ここで香料提示部３２の担持体４１は、例えば柱状ないし細長く形成した平板状の形状をなす。この担持体４１は、香料の滴下を受けて保持し、当該保持している香料を徐放する（つまり香料の徐放性を有する）フィルムや不織布等で構成される。この担持体４１は、後に説明する担持体移動部４３に固定される。滴下部４２は、制御ユニット１３から入力される指示に従い、音響や加熱によって、香料を指示された分量だけ担持体４１に対して滴下する。この滴下部４２には例えば例えばインクジェットプリンタに用いられるヘッドと同様のものを利用できる。
【００１６】
担持体移動部４３は例えばリニアアクチュエータであり、制御ユニット１３から入力される指示に従い、担持体４１を、提示体容器２４内で、収納室２４１に収納される第１の位置と、収納室２４１より突出した位置である第２の位置との間で移動させる。
【００１７】
香料保持体２２は、香料を蓄積する香料容器５０を受け入れる容器受入部５１を有する。この容器受入部５１は、香料導体２３の一端側に接続され、受け入れた香料容器５０内の香料を、香料導体２３内に導入する。なお、本実施の形態では香料は流体状であるものとしており、そのような流体状の物質を香料導体２３内に導入する機構としては既存の種々のものが適宜採用できるので、ここでの詳しい説明を省略する。
【００１８】
また本実施の形態では、この香料保持体２２は、香料提示モジュール２１とは離して配される。この香料保持体２２は、仮に香料が香料保持体２２の位置で漏洩しても、利用者の鼻孔に到達しにくい場所、例えば利用者の耳より後ろ側（後頭部側）の任意の位置に配されてもよい。また香料が空気より軽い成分で構成されるものであれば、鼻孔より上の位置に配することとすれば、この香料保持体２２の配置位置は、後頭部側でなくても構わない。
【００１９】
制御ユニット１３は、制御部６１と、インタフェース部６２とを含んで構成される。ここで制御部６１はマイクロコンピュータ等であり、ＣＰＵ等のプログラム実行部と、当該プログラム実行部で実行されるプログラムを保持する記憶部とを備えて構成される。この制御部６１は、インタフェース部６２を介して外部から入力される指示を受けて、予め定められた処理を実行する。具体的に本実施の形態では、制御部６１は、外部からの指示として、香料提示体１２を特定する情報（提示する香料を特定する情報）と、香料を提示する指示または香料の提示を停止する指示とを受け入れて、当該受け入れた指示によって特定される香料提示体１２を制御して、指示に従い、香料を提示させ、あるいは香料の提示を停止させる。
【００２０】
香料の提示を行うときには、制御部６１は、特定された香料提示モジュール２１の滴下部４２を制御して、担持体４１に対して香料を滴下させる。また、制御部６１は、香料提示モジュール２１のファン３１を動作させ、担持体４１に担持された香料を利用者の鼻孔側へ輸送する気流を生じさせる。さらに、担持体移動部４３を制御して、担持体４１を、提示体容器２４内で、収納室２４１から突出した位置に移動する。
【００２１】
これより、担持体４１に担持された香料が、ファン３１によって生じた気流によって運搬されて提示体容器２４の開口から放出され、利用者が香料の持つ匂いを感じ取ることが可能となる。
【００２２】
また香料の提示を停止させるときには、制御部６１は、特定された香料提示モジュール２１のファン３１を反転動作させ、利用者の鼻孔側から香料提示モジュール２１のファン３１側へ流れる気流を生じさせる。この動作により、ファン３１によって生じた気流により、利用者の鼻孔近傍から香料が除去されて外気へ放出されるので、比較的短時間で利用者が香料の持つ匂いを感じ取ることがなくなる。
【００２３】
さらに制御部６１は、香料の提示または香料の提示の停止の指示がされていない香料提示モジュール２１のファン３１を停止制御してもよい。また制御部６１は、香料の提示を停止させる動作の後、予め定めた時間が経過したときに、ファン３１を停止制御することとしてもよい。
【００２４】
また香料提示モジュール２１は、収納室２４１の、担持体４１を突出される側にシャッター２４２を設け、シャッター２４２を閉塞することで、収納室２４１を外部から遮断可能にしてもよい。このシャッター２４２は、制御ユニット１３により開閉制御可能なものとし、制御ユニット１３は、ファン３１を正転または反転動作させるときに開とし、ファン３１を停止させている状態では閉となるよう制御する。これにより、香料の提示が指示されておらずファン３１を停止させているときには、収納室２４１から香料が漏洩する可能性を低減でき、意図しない匂いが提示されることがなくなる。
【００２５】
インタフェース部６２は、例えばＵＳＢ等のシリアルインタフェースであり、外部から入力される指示を制御部６１に出力する。
【００２６】
また、本実施の一例においては、香料提示体１２及び制御ユニット１３のうち、少なくとも香料提示体１２の香料提示モジュール２１を収納し、装着時に利用者の少なくとも鼻孔部を覆う形状を有する筐体をさらに含んでもよい。この筐体を備える場合、筐体の形状は、鼻孔部近傍に所定形状の空間を形成する形状とし、香料提示モジュール２１がこの空間内に配されるようにしておく。また、このように筐体を備える場合は、当該空間内の空気を外気と入れ替える換気装置をさらに備えてもよい。またこの筐体では、上記鼻孔部近傍の空間を形成する部分に、外気に連通する開口を形成しておく。この開口にはさらにフィルタが設けられてもよい。このフィルタは、消臭剤を含んでもよい。
【００２７】
本実施の形態の香料提示デバイス１０は基本的に以上の構成を有し、次のように動作する。本実施の形態の香料提示デバイス１０は、例えば家庭用ゲーム機に接続されて利用される。以下の例では、香料提示デバイス１０が３つの香料提示体１２を含むものとし、各香料提示体１２の香料保持体２２には、利用者に対し、それぞれ互いに異なる匂いを感じさせる香料Ａ，Ｂ，Ｃを収納した香料容器５０がそれぞれセットされているものとする。なお、香料提示体１２の制御部６１は、どの香料提示体１２にどの香料の香料容器５０がセットされているかの設定を受け入れており、あるいはどの香料提示体１２にどの香料の香料容器５０がセットされているかを検出しているものとする。この検出を行う場合は例えば香料容器５０に、容器内の香料を特定する情報を提供するＩＣタグ等を付して、当該ＩＣタグを読み取ることで検出を行うこととすればよい。
【００２８】
香料提示デバイス１０は、家庭用ゲーム機側から提示する香料を特定する情報（香料Ａ，Ｂ，Ｃのいずれを提示するかを特定する情報）と、香料を提示するべき旨の指示とを受けると、図３に例示する処理を開始する。そして香料提示デバイス１０は、受け入れた情報で特定される香料の香料容器５０がセットされている香料提示体１２を選択する（Ｓ１）。香料提示デバイス１０は、ここで選択した香料提示体１２の香料提示モジュール２１の滴下部４２を制御して、担持体４１に対して香料を滴下させる（Ｓ２）。このとき香料は、香料保持体２２から香料導体２３を通じて供給される。
【００２９】
また、香料提示デバイス１０は、処理Ｓ１で選択した香料提示体１２の香料提示モジュール２１のファン３１を正転させて（Ｓ３）、担持体４１に担持された香料を利用者の鼻孔側へ輸送する気流を生じさせるとともに、処理Ｓ１で選択した香料提示体１２の担持体移動部４３を制御して、担持体４１を、提示体容器２４内で、収納室２４１から突出した位置に移動する（図２で、破線で示した位置へ移動：Ｓ４）。このとき収納室２４１にシャッター２４２が設けられていれば、香料提示デバイス１０は処理Ｓ１で選択した香料提示体１２のシャッターを開放する。
【００３０】
これより、家庭用ゲーム機側からの指示により特定される香料が、香料提示デバイス１０から放出され、利用者が当該香料の持つ匂いを感じ取ることが可能となる。
【００３１】
また、例えば、ゲームにおけるシーンが転換した場合など、いままで発生させていた香料を急速に利用者の鼻孔近傍から除去したい場合には、家庭用ゲーム機は、提示の指示を行っていた香料を特定する情報（香料Ａ，Ｂ，Ｃのいずれを提示するかを特定する情報）と、香料の提示を停止するべき旨の指示とを香料提示デバイス１０に対して出力する。この指示を受けた香料提示デバイス１０は、図４に例示する処理を開始し、受け入れた情報で特定される香料の香料容器５０がセットされている香料提示体１２を選択する（Ｓ１１）。
【００３２】
香料提示デバイス１０は、処理Ｓ１で選択した香料提示体１２の香料提示モジュール２１のファン３１を反転動作させ（Ｓ１２）、利用者の鼻孔側から香料提示モジュール２１のファン３１側へ流れる気流を生じさせる。また香料提示デバイス１０は、処理Ｓ１で選択した香料提示体１２の担持体移動部４３を制御して、担持体４１を、収納室２４１内に収納する位置に移動する（Ｓ１３）。このとき香料提示デバイス１０は、収納室２４１にシャッター２４２が設けられていれば、処理Ｓ１１で選択した香料提示体１２のシャッター２４２を開放した状態としておく。
【００３３】
香料提示デバイス１０は、その後、所定の時間が経過するまで待機し（Ｓ１４）、所定の時間が経過したときに、処理Ｓ１で選択した香料提示体１２の香料提示モジュール２１のファン３１を停止させる（Ｓ１５）。このとき香料提示デバイス１０は、収納室２４１にシャッター２４２が設けられていれば、香料提示デバイス１０はシャッターを閉じる制御を行う。
【００３４】
［匂いの強弱］
また本実施の形態において、香料提示デバイス１０は、匂いを提示するべき旨の指示に、提示する匂いの強さに係る指示を含めて受け入れ、当該情報に応じた強度の匂いを提示するようにしてもよい。
【００３５】
この例では
（１）ファン３１の回転速度（風量）
（２）滴下部４２における香料の滴下量
（３）担持体４１を収納室２４１からどれだけ突出させるか
のうち、少なくとも一つを制御部６１が制御することにより匂いの強さが制御される。
【００３６】
具体的な例として、制御部６１は、提示する匂いの強度の情報を、０からＰmax（Ｐmax＞０）までの間の値Ｐとして受け入れる。また担持体移動部４３により、担持体４１の収納室２４１からの突出量Ｑが０からＱmax（Ｑmax＞０）までの間で制御できるとき、制御部６１は、担持体４１の収納室２４１からの突出量ＱをＱ＝（Ｑmax／Ｐmax）×Ｐとして演算する。そして制御部６１は、この突出量だけ担持体４１を収納室２４１から突出するよう、担持体移動部４３に指示する。これにより、香料の拡散量を変化させ、匂いの強弱を提示可能となる。
【００３７】
［環境芳香］
またここまでの説明では、香料を提示するべき旨の指示があったときに、当該指示において特定される香料を提示するよう制御することとしていたが、本実施の形態はこれに限られず、香料を提示するべき旨の指示がないとき（あるいは香料の提示を終了するべき旨の指示を受けて）、特定の香料（周辺環境の匂い、いわば環境芳香を感じさせる香料、以下環境香料と呼ぶ）を提示するよう制御してもよい。
【００３８】
具体的に、制御部６１は、香料を提示するべき旨の指示がないとき（あるいは香料の提示を終了するべき旨の指示を受けて）、指示がないときに提示する香料として予め定めた環境香料がセットされた香料提示体１２を選択する。
【００３９】
そして制御部６１は、香料提示デバイス１０に、ここで選択した香料提示体１２の香料提示モジュール２１の滴下部４２を制御して、担持体４１に対して環境香料を滴下させる。また制御部６１は、香料提示モジュール２１のファン３１を正転させて、担持体４１に担持された環境香料を利用者の鼻孔側へ輸送する気流を生じさせるとともに、香料提示体１２の担持体移動部４３を制御して、担持体４１を、提示体容器２４内で、収納室２４１から突出した位置に移動する。またこのとき収納室２４１にシャッター２４２が設けられていれば、香料提示デバイス１０は選択した香料提示体１２のシャッターを開放する。
【００４０】
また、制御部６１は、環境香料以外の香料を提示するべき旨の指示を受けると、環境香料がセットされた香料提示体１２の香料提示モジュール２１のファン３１を反転動作させ、利用者の鼻孔側から当該香料提示モジュール２１のファン３１側へ流れる気流を生じさせつつ、この香料提示体１２の担持体移動部４３を制御して、担持体４１を、収納室２４１内に収納する位置に移動する。そして担持体４１が収納室２４１に収納されると、当該香料提示体１２の香料提示モジュール２１のファン３１を停止させて、シャッター２４２を閉じる制御を行う。そして制御部６１は、指示において特定された、環境香料以外の香料を提示するよう制御する（図３に例示した処理を実行する）。
【００４１】
［消臭］
本実施の形態において、複数の香料提示体１２のうちには、香料容器５０がセットされないものが含まれてもよい。この場合は、当該香料容器５０がセットされていない香料提示体１２を、香料を利用者の鼻孔近傍から除去する目的で利用できる。この香料容器５０がセットされていない香料提示体１２により、本発明における香料除去モジュールを実現できる。すなわちこの例の制御部６１は、香料提示体１２を特定する情報（香料を特定する情報等）を受け入れることなく、現在までに放出した香料を除去するべき旨の指示を受けて、香料容器５０がセットされているすべての香料提示体１２における香料の提示を停止する（香料提示体１２の担持体移動部４３を制御して、担持体４１を、収納室２４１内に収納する位置に移動し、ファン３１を停止、ないし反転動作させた後に停止させる）とともに、香料容器５０がセットされていない香料提示体１２のファン３１を反転動作させて利用者の鼻孔側からファン３１側へ流れる気流を生じさせる。このとき、収納室２４１にシャッター２４２が設けられていれば、制御部６１は、当該香料容器５０がセットされていない香料提示体１２のシャッター２４２を開放した状態とする。
【００４２】
本実施の形態のこの例によると、ファン３１によって生じた気流により、利用者の鼻孔近傍から香料が除去されて外気へ放出されるので、比較的短時間で利用者が香料の持つ匂いを感じ取ることがなくなり、ＨＭＤ１１に提示している映像のシーンの転換等により、提示するべき匂いが変化するときに、それまでに提示していた香料を迅速に除去できる。
【００４３】
さらに本実施の形態では、制御部６１が、香料容器５０がセットされているいずれかの香料提示体１２により香料を提示するとともに、複数の香料提示体１２のうち、香料の提示を行っていないもの（香料容器５０がセットされていない香料提示体１２であってもよい）のファン３１を反転動作させ、その回転速度（風量）を制御することで、匂いの強弱を制御してもよい。この例では匂いを提示しつつ、一方で当該匂いを提示する香料を除去していくことで、匂いの強弱について繊細な制御が可能となる。
【００４４】
さらに本実施の形態の別の例では、複数の香料提示体１２のうちには、消臭用の香料（いわゆるマスキング剤またはペアリング剤）を格納した香料容器５０がセットされたものがあってもよい。この例では、当該消臭用の香料を格納した香料容器５０がセットされた香料提示体１２（消臭香料提示体と呼ぶ）を、他の（消臭用香料以外の）香料を、利用者の鼻孔近傍から除去ないし利用者に感じさせないようにする目的で利用できる。この例では、当該消臭用の香料を格納した香料容器５０をセットした香料提示体１２が、本発明における香料除去モジュールを実現する。
【００４５】
すなわちこの例の制御部６１は、香料提示体１２を特定する情報（香料を特定する情報等）を受け入れることなく、現在までに放出した香料を除去するべき旨の指示を受けて、消臭用香料以外の香料を格納する香料容器５０がセットされているすべての香料提示体１２における香料の提示を停止する（香料提示体１２の担持体移動部４３を制御して、担持体４１を、収納室２４１内に収納する位置に移動し、ファン３１を停止、ないし反転動作させた後に停止させる）とともに、消臭香料提示体の香料提示モジュール２１の滴下部４２を制御して、担持体４１に対して香料の代わりに香料保持体２２から香料導体２３を通じて供給される消臭用の香料を滴下させる。
【００４６】
また、制御部６１は、消臭香料提示体の香料提示モジュール２１のファン３１を正転させて、担持体４１に担持された消臭用の香料を利用者の鼻孔側へ輸送する気流を生じさせるとともに、当該消臭香料提示体の担持体移動部４３を制御して、担持体４１を、提示体容器２４内で、収納室２４１から突出した位置に移動する。このとき収納室２４１にシャッター２４２が設けられていれば、制御部６１は消臭香料提示体のシャッター２４２を開放する。この例では、消臭用の香料が利用者の鼻孔近傍に放出されることで、香料の匂いが消臭されることとなる。具体的に消臭用の香料が、いわゆるマスキング剤である場合には、消臭用の香料の芳香により、他の香料（消臭用の香料以外の香料）の匂いを利用者が感じにくくなる。また、消臭用の香料が、いわゆるペアリング剤である場合には、消臭用の香料が、他の香料（消臭用の香料以外の香料）と化学的に反応し、別の芳香の物質（または匂いを感じさせない物質）に変化することで、他の香料（消臭用の香料以外の香料）の匂いを利用者が感じなくなる。
【００４７】
このように本実施の形態の例では、（１）ファン３１を逆転させて、利用者の鼻孔近傍の香料を除去する、（２）収納室２４１に設けたシャッター２４２により香料の担持体４１から放散される香料が利用者の鼻孔側に漏れることを阻止する、（３）消臭用の香料を利用して放出していた香料をマスキング、またはペアリングする、といった消臭方法が採用できる。なお、これらの消臭方法は、任意に組み合わせて用いられてもよい。
【００４８】
［担持体の別の例］
またここまでの例に示した担持体４１に代え、担持体４１は、図５に例示するように、収納室２４１内に配した供給側ローラ７１に巻回された、連続供給可能なシート状をなすものであってもよい。この例では、担持体移動部４３は、担持体４１を供給側ローラ７１から、収納室２４１の外側に配したローラ７２を通じて、収納室２４１内の巻取ローラ７３に巻取る。
【００４９】
この例では、制御部６１の制御により担持体４１の一部に滴下部４２により香料が滴下され、また制御部６１から収納室２４１から担持体４１を突出させるよう指示がされると、担持体移動部４３が、香料の滴下を受けた担持体４１の部分をローラ７２の位置まで輸送する。また香料の提示を停止するときには制御部６１の制御により、担持体移動部４３が、香料の滴下を受けた担持体４１の部分を巻取ローラ７３の位置まで輸送する。このとき、新たな香料の滴下を行うことなく、巻取を行うので、ローラ７２の位置には、香料の滴下がされていない担持体４１の部分が位置することとなり、香料の提示が停止される。
【００５０】
さらに本実施の形態では、担持体４１及び滴下部４２を用いずに、香料を徐放する他の手段、例えば香料導体２３の香料提示モジュール２１側の端部に開口量を制御可能なシャッターを配し、制御部６１が当該シャッターの開口量を制御して、香料の放出を行うこととしてもよい。
【００５１】
［左右に設ける例］
さらに本実施の形態の別の例では、各香料モジュール２１は、利用者の左右の鼻孔のそれぞれに対応して左右にペアで配されてもよい。ペアとなった一対の香料提示モジュール２１には、それぞれに対応して設けた香料導体２３を介して、同じ香料保持体２２から香料の供給を受けるようにしておいてもよい。またこの場合、同じ香料を提示する左右の香料提示モジュール２１は制御部６１によりそれぞれ別々に制御され、香料の提示・提示の停止の動作を行ってもよい。
【００５２】
この例では、外部から提示するべき香料を特定する情報とともに、当該香料の定位に関する情報（左右方向どの位置から香るべきかを表す情報）の入力を受け、制御部６１は当該定位に関する情報に基づいて、当該情報で特定された香料を提示する、ペアとなった一対の香料提示モジュール２１のそれぞれにおける香料の放出量を制御することとしてもよい。
【００５３】
［温風・冷風］
さらに本実施の形態では、各香料提示モジュール２１が気流を加熱ないし冷却する冷温部を有してもよい。この冷温部は例えばペルチエ素子等を用いて構成できる。この例では、外部から提示するべき香料を特定する情報とともに、当該香料を提示する際の温度に関する情報を制御部６１が受け入れて、当該情報（あるいは当該情報と、図示しない外気温計により測定された外気温と）に基づいて、制御部６１が、提示する香料に対応する香料提示モジュール２１が備える冷温部を制御し、気流の加熱または冷却を行ってもよい。
【００５４】
また、香料提示モジュール２１が気流を加湿する加湿部を有してもよい。この例では、外部から提示するべき香料を特定する情報とともに、当該香料を提示する際に加湿を行うべき旨の指示を制御部６１が受け入れて、当該指示に基づき、制御部６１が、提示する香料に対応する香料提示モジュール２１が備える加湿部を制御して、気流の加湿を行ってもよい。
【００５５】
［香料提示モジュール等を移動する例］
さらに本実施の形態では、香料提示モジュール２１は、香料を提示するときに香料提示位置（利用者の鼻孔近傍の所定範囲）に位置すればよいので、香料提示モジュール２１ごとに、香料提示位置から、鼻孔から離隔した退避位置（例えば利用者の後頭部側など）までの間にガイドレールを配設し、提示の指示がない香料を提示する香料提示モジュール２１は、退避位置に移動しておき、香料を提示する指示を受け入れた制御部６１が、当該提示する香料をセットした香料提示モジュール２１をガイドレールに沿って香料提示位置に移動したうえで、当該香料提示モジュール２１に香料を提示させる（図３のステップＳ１ないしＳ４の処理による）こととしてもよい。
【００５６】
なお、香料提示位置は、利用者の鼻孔近傍の所定範囲に亘るものであり、具体的には、平均的な利用者の顔のつくりにおいて、ファン３１を正転させたときに拡散した香料が鼻腔に到達する範囲を実験的に定めればよい。
【００５７】
制御部６１は、外部から入力される指示により、この所定範囲のどこへ香料提示モジュール２１を位置させて香料を提示させるか、あるいはこの所定範囲内でどのように（どの程度の速度で、どの位置からどの位置へ移動させるかといった、時間経過に応じた移動態様）香料提示モジュール２１を移動させつつ香料を提示させるかを制御してもよい。
【００５８】
左右にペアで、同じ香料を提示する香料提示モジュール２１を配する場合は、利用者の右側に配した香料提示モジュール２１の香料提示位置は、利用者の右鼻腔の位置より右の所定範囲とし、左側に配した香料提示モジュール２１の香料提示位置は、利用者の左鼻腔の位置より左の所定範囲としておいてもよい。
【００５９】
さらに、この構成においては、香料の提示を停止する指示があったときには、制御部６１は、受け入れた情報で特定される香料の香料容器５０がセットされている香料提示体１２を選択し、当該選択した香料提示体１２の香料提示モジュール２１のファン３１を反転動作させる。そしてこれにより利用者の鼻孔側から香料提示モジュール２１のファン３１側へ流れる気流を生じさせるとともに、制御部６１は、当該香料提示体１２の担持体移動部４３を制御して、担持体４１を、収納室２４１内に収納する位置に移動する。このとき香料提示デバイス１０は、収納室２４１にシャッター２４２が設けられていれば、香料提示デバイス１０は処理Ｓ１１で選択した香料提示体１２のシャッター２４２を開放した状態としておく。さらに、制御部６１は、香料提示モジュール２１を退避位置に移動して、利用者の鼻腔近傍から離隔させる。そして制御部６１は、その後香料提示モジュール２１のファン３１を停止させ、収納室２４１にシャッター２４２が設けられていれば、香料提示デバイス１０はシャッターを閉じる制御を行う。
【００６０】
［香料提示モジュールと香料保持体とを一体とする例］
ここで、香料提示モジュール２１を香料提示位置と退避位置との間で移動可能に構成する場合には、香料保持体２２を香料提示モジュール２１と離隔して配しておく必要は必ずしもない。つまり、香料提示モジュール２１と香料保持体２２とを一体に形成してもよい。この場合は上述のように、香料提示モジュール２１ごとに、香料提示位置から、鼻孔から離隔した退避位置（例えば利用者の後頭部側など）までの間にガイドレールを配設し、提示の指示がない香料を提示する香料提示モジュール２１を退避位置に移動しておく。そして香料を提示する指示を受け入れた制御部６１が、当該提示する香料をセットした香料提示モジュール２１をガイドレールに沿って香料提示位置に移動したうえで、当該香料提示モジュール２１に香料を提示させる。この例では、香料保持体２２内の香料を使い切ったときには、香料提示モジュール２１と香料保持体２２とを一体として交換することとしてもよい。
【００６１】
ここで前記香料提示モジュールは、送風方向を反転可能なファンと、前記ファンの動作により生じる気流上に香料を提示する香料提示部と、を有したものとしてもよい。
【００６２】
ここで前記香料提示部は、前記香料導体から供給される香料を担持する担持体と、前記担持体を収納する担持体収納室と、前記担持体を、前記担持体収納室から突出した位置と、前記担持体収納室内に収納した位置との間で移動する担持体移動部と、を有してもよい。
【００６３】
また前記香料提示部はさらに、前記担持体が、前記担持体収納室内に収納した位置にあるときに、前記担持体収納室を遮断するシャッターを有してもよい。さらに、前記表示デバイスの装着者の鼻孔近傍に配され、香料を当該鼻孔近傍から除去する香料除去モジュールを備えてもよい。この場合、前記香料除去モジュールは、鼻孔近傍から鼻孔より遠ざかる向きに気流を生じさせるファンを備えるものであってもよいし、消臭用の香料を提示して、香料を除去するものであってもよい。
【符号の説明】
【００６４】
１０  香料提示デバイス、１２  香料提示体、１３  制御ユニット、２１  香料提示モジュール、２２  香料保持体、２３  香料導体、２４  提示体容器、３１  ファン、３２  香料提示部、４１  担持体、４２  滴下部、４３  担持体移動部、５０  香料容器、５１  容器受入部、６１  制御部、６２  インタフェース部、７１  供給側ローラ、７２  ローラ、７３  巻取ローラ、２４１  収納室、２４２  シャッター。
【図１】
2016199441.tif 000003
【図２】
2016199441.tif 000004
【図３】
2016199441.tif 000005
【図４】
2016199441.tif 000006
【図５】
2016199441.tif 000007
【国際調査報告】
2016199441.tif 000008
2016199441.tif 000009
2016199441.tif 000010
2016199441.tif 000011